(57)【要約】      （修正有）【課題】電源ＯＦＦ時に太陽光によるＳＨ羽根や撮像素子へのダメージを防止することを可能にした電子撮像装置を提供すること。【解決手段】遮光板２０５の撮像素子側先端が電源ＯＦＦ時に遮光板閉じピン３０４に当接することで、電源ＯＦＦ時に遮光板２０５を半透過ミラー保持枠２０４の開口部を覆う位置に駆動して、太陽光が半透過ミラーを通過してＳＨ羽根や撮像素子へ入射することを防止する。【選択図】図５
2016133682.tif 000002
【特許請求の範囲】
【請求項１】
被写体光を撮像素子と他方へ分離する半透過ミラー２０３を回動可能に備えた電子撮像装置において、
半透過ミラー２０３を保持し、被写体光が通過する開口部２０４−ｆを有する半透過ミラー保持枠２０４と、
半透過ミラー保持枠２０４を回動可能に保持するミラーボックス２００と、
半透過ミラー保持枠２０４の被写体側先端近傍に回転中心を備える遮光部材２０５と、
遮光部材２０５と半透過ミラー保持枠２０４とを回転により開く方向へ付勢する付勢バネ２０６と、
ミラーボックス内壁に撮影光軸よりも上側であって、遮光板２０５と当接可能な位置に突出した第一の凸部３００と、
ミラーボックス内に突出し、遮光板２０５と当接しない第一の位置と、遮光板２０５と当接する第二の位置に移動可能に構成された第二の凸部３０４と、を備え
半透過ミラー保持枠２０４と遮光板２０５は、撮影待機時に撮影光束中に配置された第一の位置（ミラーダウン位置）と、撮影時に撮影光束から退避した第二の位置（ミラーアップ位置）とに回動可能に構成されており、
ミラーアップ位置では、遮光板２０５はミラーボックス内壁に設けられた第一の凸部３００と回転中心よりも被写体側の領域２０５−ｄで当接した状態で保持され、
電源ＯＮ時のミラーダウン位置では、半透過ミラー保持枠２０４と遮光板２０５は付勢バネ２０６による付勢力で互いに所定の領域２０４−ｅ、２０５−ｃで当接した位置で保持され、第二の凸部３０４は遮光板２０５と当接しない位置に配置され、
電源ＯＦＦ時には、ミラーユニット１１２がミラーアップ位置に配置された状態で、第二の凸部３０４が遮光板２０５と当接する位置に駆動された後、ミラーユニット１１２がミラーダウン位置に駆動されることで、遮光板２０５と第二の凸部３０４とが遮光板２０５の回転中心よりも撮影者側の位置で当接した状態で保持されることを特徴とする電子撮像装置。
【請求項２】
ミラーボックス内側に突出した第三の凸部３０１が、撮影光軸よりも下側であって、遮光板２０５と当接しない第一の位置と、遮光板２０５と当接する第二の位置に移動可能に構成されており、第二の位置とは、ミラーダウン位置では遮光板２０５の回転中心よりも被写体側の領域であり、遮光板２０５の当接部２０５−ｄと所定の隙間を設けられている位置であることを特徴とする請求項１に記載の電子撮像装置。
【請求項３】
第二の凸部３０４と第三の凸部３０１とは連動して駆動されることを特徴とする請求項２に記載の電子撮像装置。
【請求項４】
第二の凸部３０４を駆動する駆動源はミラーボックス２００の側面に配置されていることを特徴とする請求項１に記載の電子撮像装置。
【請求項５】
第二の凸部３０４を駆動する駆動源はミラーボックス２００の下面に配置されていることを特徴とする請求項１に記載の電子撮像装置。
【請求項６】
電源ＯＦＦ時のミラーユニット１１２がミラーアップ位置に駆動される速度は撮影時にミラーユニット１１２がミラーアップ位置に駆動される速度よりも遅い速度であることを特徴とする請求項１に記載の電子撮像装置。
【発明の詳細な説明】
【技術分野】
【０００１】
本発明は、電子撮像装置に関し、特に反射部材によって撮影光を分割するものに関する。
【背景技術】
【０００２】
従来、撮像素子で被写体光を露光させつつ、ファインダーで被写体を確認できる構造として、半透過ミラーを撮影光路中に配置し、一部の光を撮像素子へ透過させ、残りの光をファインダーへ反射させる構造が提案されている。
【０００３】
特許文献１では、半透過ミラーの保持枠先端を回転軸とする遮光部材が、トグルバネによりミラーアップ位置では半透過ミラー保持枠と接近する位置に駆動され、ミラーダウン位置では半透過ミラー保持枠から離れる位置に駆動される構造が開示されている。
【先行技術文献】
【特許文献】
【０００４】
【特許文献１】特開平１１−２９５８１０号公報
【発明の概要】
【発明が解決しようとする課題】
【０００５】
しかしながら、上述の特許文献１に開示された従来技術では、電源ＯＦＦ時にも半透過ミラーを通して太陽光が入射可能であり、太陽光が入射するとＳＨ羽根や撮像素子がダメージを受けてしまう可能性があった。
【０００６】
そこで、本発明の目的は、撮像素子で被写体光を露光させつつ、ファインダーで被写体を確認できる構成において、電源ＯＦＦ時に太陽光によるＳＨ羽根や撮像素子へのダメージを防止する電子撮像装置を提供することにある。
【課題を解決するための手段】
【０００７】
上記の目的を達成するために、請求項１に記載の本発明では、被写体光を撮像素子と他方へ分離する半透過ミラー２０３を回動可能に備えた電子撮像装置において、半透過ミラー２０３を保持し、被写体光が通過する開口部２０４−ｆを有する半透過ミラー保持枠２０４と、半透過ミラー保持枠２０４を回動可能に保持するミラーボックス２００と、半透過ミラー保持枠２０４の被写体側先端近傍に回転中心を備える遮光部材２０５と、遮光部材２０５と半透過ミラー保持枠２０４とを回転により開く方向へ付勢する付勢バネ２０６と、ミラーボックス内壁に撮影光軸よりも上側であって、遮光板２０５と当接可能な位置に突出した第一の凸部３００と、ミラーボックス内に突出し、遮光板２０５と当接しない第一の位置と、遮光板２０５と当接する第二の位置に移動可能に構成された第二の凸部３０４とを備え、半透過ミラー保持枠２０４と遮光板２０５は、撮影待機時に撮影光束中に配置された第一の位置（ミラーダウン位置）と、撮影時に撮影光束から退避した第二の位置（ミラーアップ位置）とに回動可能に構成されており、
ミラーアップ位置では、遮光板２０５はミラーボックス内壁に設けられた第一の凸部３００と回転中心よりも被写体側の領域２０５−ｄで当接した状態で保持され、電源ＯＮ時のミラーダウン位置では、半透過ミラー保持枠２０４と遮光板２０５は付勢バネ２０６による付勢力で互いに所定の領域２０４−ｅ、２０５−ｃで当接した位置で保持され、第二の凸部３０４は遮光板２０５と当接しない位置に配置され、電源ＯＦＦ時には、ミラーユニット１１２がミラーアップ位置に配置された状態で、第二の凸部３０４が遮光板２０５と当接する位置に駆動された後、ミラーユニット１１２がミラーダウン位置に駆動されることで、遮光板２０５と第二の凸部３０４とが遮光板２０５の回転中心よりも撮影者側の位置で当接した状態で保持されることを特徴とする。
【０００８】
請求項２に記載の本発明は、請求項１において、ミラーボックス内側に突出した第三の凸部３０１が、撮影光軸よりも下側であって、遮光板２０５と当接しない第一の位置と、遮光板２０５と当接する第二の位置に移動可能に構成されており、第二の位置とは、ミラーダウン位置では遮光板２０５の回転中心よりも被写体側の領域であり、遮光板２０５の当接部２０５−ｄと所定の隙間を設けられている位置であることを特徴とする。
【０００９】
請求項３に記載の本発明は、請求項２において、第二の凸部３０４と第三の凸部３０１とは連動して駆動されることを特徴とする。
【００１０】
請求項４に記載の本発明は、請求項１において、第二の凸部３０４を駆動する駆動源はミラーボックス２００の側面に配置されていることを特徴とする。
【００１１】
請求項５に記載の本発明は、請求項１において、第二の凸部３０４を駆動する駆動源はミラーボックス２００の下面に配置されていることを特徴とする。
【００１２】
請求項６に記載の本発明は、請求項１において、電源ＯＦＦ時のミラーユニット１１２がミラーアップ位置に駆動される速度は撮影時にミラーユニット１１２がミラーアップ位置に駆動される速度よりも遅い速度であることを特徴とする。
【発明の効果】
【００１３】
本発明によれば、撮像素子で被写体光を露光させつつ、ファインダーで被写体を確認できる構成であっても、電源ＯＦＦ時に太陽光によるＳＨ羽根や撮像素子へのダメージを防止することを可能にした電子撮像装置の提供を実現できる。
【図面の簡単な説明】
【００１４】
【図１−ａ】本発明を適用した電子撮像装置の正面側斜視図である。
【図１−ｂ】本発明を適用した電子撮像装置の背面側斜視図である。
【図２】本発明を適用した電子撮像装置の閃光装置が使用位置にある図である。
【図３】本発明を適用した電子撮像装置のブロック図である。
【図４】本発明を適用したミラーボックスユニットの斜視図である。
【図５】本発明を適用したミラーボックス内部品と撮像素子の側面図である。
【図６−ａ】本発明を適用したミラーユニットの撮影光軸側からみた斜視図である。
【図６−ｂ】本発明を適用したミラーユニットの撮影光軸逆側からみた斜視図である。
【図７−ａ】本発明を適用したミラーユニットのダウン位置側面図である。
【図７−ｂ】本発明を適用したミラーユニットのアップ位置近傍の側面図である。
【図７−ｃ】本発明を適用したミラーユニットのアップ位置側面図である。
【図８−ａ】本発明を適用したミラーユニットのダウン位置側面図である。
【図８−ｂ】本発明を適用したミラーユニットのアップ位置近傍の側面図である。
【図８−ｃ】本発明を適用したミラーユニットのアップ位置側面図である。
【図９−ａ】本発明を適用した電子撮像装置の電源ＯＦＦ時のフローチャートである。
【図９−ｂ】本発明を適用した電子撮像装置の電源ＯＮ時のフローチャートである。
【図１０】本発明を適用したミラーユニットのダウン位置正面図である。
【発明を実施するための形態】
【００１５】
以下に、本発明の好ましい実施の形態を、添付の図面に基づいて詳細に説明する。
【実施例１】
【００１６】
図１から図３を参照して、デジタル一眼レフカメラの動作概略について説明する。図１は本発明を適用したデジタル一眼レフカメラの外観斜視図である。図２は本発明を適用したデジタル一眼レフカメラの閃光ユニットが発光位置へ移動した外観斜視図である。図３は本実施例におけるデジタル一眼レフカメラのブロック図である。なお、本実施例ではレンズ着脱可能なデジタル一眼レフを例示するが本発明はこれに限定されるものでは無く、撮影位置と撮影退避位置とに移動可能な半透過ミラーを有する撮像装置であれば適用可能である。
【００１７】
本実施例のデジタル一眼レフカメラでは、後述するように、ミラーボックス下に、所謂位相差ＡＦユニットを備えておらず、位相差ＡＦユニットに被写体光を導光するための反射鏡も備えていない。ミラーユニット１１２は半透過ミラーを備えており、撮影光学系を透過してきた被写体光の一部を透過し、不図示の撮像素子に導光させ、残りの被写体光をファインダーユニット１１３に反射させて撮影者が被写体光を観察可能に構成されている。
【００１８】
カメラ本体１００の上面外装カバー１０１に設けられた主電源スイッチ１０７がＯＮ位置へ操作されると、カメラマイコン１０は所定のシーケンスによりカメラを起動する。
【００１９】
カメラマイコン１０は、操作検出回路１２により操作部材の操作を検出すると、対応する設定を行う。例えば、撮影モードダイヤル１０８が操作され撮影モードが選択されると、選択された撮影モードに対応したシャッタースピードと絞りとの組み合わせを決定するプログラム線図を設定する。また電子ダイヤル１０５が操作されると、露出補正などの設定を行う。ＩＳＯ感度設定ボタン１０６が操作されると、ＩＳＯ感度条件を設定する。
【００２０】
撮影モードダイヤル１０８で自動設定モードが選択された場合における、一連の撮影動作を述べる。
【００２１】
操作検出回路１２によりレリーズボタン１０４が第一の位置まで押し込まれたことが検知されると、カメラマイコン１０は撮影条件制御回路１３を駆動し、適切なシャッタースピードと絞り値を決定するために、ファインダーユニット１１３近辺に設けられた不図示の測光センサーにより被写体光を測光する。或いは半透過ミラーを透過して撮像素子に入射した被写体光を測光してもよい。
【００２２】
得られた測光結果から被写体光が所定の輝度よりも低いと判断されると、カメラマイコン１０はモーター制御回路１４を駆動し、閃光ユニット１０３を発光位置まで移動させるべく不図示のモーターを駆動し、回転運動により所定の位置まで移動する（図２に示される位置）。
【００２３】
操作検出回路１２によりレリーズボタン１０４が第二の位置まで押し込まれたことが検知されると、不図示の撮像素子に被写体光が到達するように、カメラマイコン１０はモーター制御回路１４を駆動し、ミラーユニット１１２を所定の位置に退避させ、閃光制御回路１１を駆動し、所定のタイミングで発光させ被写体に適切な光を照射させる。
【００２４】
撮像素子に被写体光が到達した状態でカメラマイコン１０は撮像素子駆動回路１５を駆動し、光電変換により被写体光を電子データとして取得する。取得された電子データはデータ処理回路１６により所定の増幅、変換、補正などのデータ処理を施され、撮影画像データとなる。
【００２５】
カメラマイコン１０は記録処理回路１７を駆動することで、得られた撮影画像データを不図示のメモリーに記録する。撮影者が不図示の画像再生ボタンを操作すると、カメラマイコン１０は再生処理回路１８を駆動し、カメラ背面外装カバー１１１に設けられた表示装置１１０にメモリーに保存されている撮影画像を表示させる。
【００２６】
１０９はアクセサリーシューであり、外部ストロボなどの外部アクセサリーを装着し、接点部でカメラ内部の回路と接続されることで装着された外部アクセサリーと通信接続することができる。
【００２７】
図４は本発明を適用したデジタル一眼レフカメラのミラーボックスユニット斜視図である。ミラーボックス２００の側面にはミラーユニット１１２を駆動する公知のミラー駆動ユニット２０１が固定されている。ミラー駆動ユニット２０１はモーター、不図示のギア、バネ、ミラーユニット駆動レバーなどで構成されている。ミラーボックス２００の上部には不図示のファインダーユニットが固定される。
【００２８】
ファインダーユニットに被写体光の一部を反射させるミラーユニット１１２は、半透過ミラー２０３、半透過ミラー保持枠２０４、遮光板２０５、遮光板付勢バネ２０６から構成されている。半透過ミラー２０３は半透過ミラー保持枠２０４に不図示の両面テープで固定されている。なお、半透過ミラー２０３の半透過ミラー保持枠２０４への固定方法は充分な強度があればどのような方法であっても良い。ミラーボックス２００の内壁には有害反射光防止のために公知の技術である反射防止シート２０７が貼りつけられている。なお、反射防止シート２０７は本発明に必須の構成要素では無く、反射防止塗装など、反射防止構造が採用されていることが望ましいが必要に応じて設けられていればよい。ミラーユニット１１２は撮影時には衝撃吸収部材２０８に衝突しアップ位置に保持される。
【００２９】
図５はミラーボックス内側の構造物と撮像素子の側面図である。半透過ミラー２０３が固定された半透過ミラー保持枠２０４は保持枠回転軸２０４−ａを回転中心として、撮影者が被写体光を観察する第一の位置（以降、ミラーダウン位置という）と撮影時に撮影光束から退避している第二の位置（以降、ミラーアップ位置という）とに回動自在に構成され、ミラーダウン位置とミラーアップ位置にそれぞれ保持可能に構成されている。
【００３０】
半透過ミラー保持枠２０４は駆動軸２０４−ｂを不図示のミラーユニット駆動レバーとミラーユニット駆動バネにより駆動されることでミラーダウン位置、ミラーアップ位置に回動可能、かつ保持可能に構成されている。ミラーボックス２００の内面側壁の少なくとも一方にはアップ位置駆動ピン３００、ダウンバウンド防止ピン３０１、遮光板閉じピン３０４が設けられている。ダウンバウンド防止ピン３０１と遮光板閉じピン３０４はピン連動部材３０５により一体的に駆動可能に構成されている。ダウンバウンド防止ピン３０１と遮光板閉じピン３０４とが駆動される軌跡の反射防止シート２０７には干渉しないようにシート逃げ穴３０６が設けられている。アップ位置駆動ピン３００、ダウンバウンド防止ピン３０１、遮光板閉じピン３０４の作用については後述する。
【００３１】
遮光板２０５はミラーユニット１１２の動作への影響を少なくするため、軽量で強度のある金属で作成されている。また、遮光板２０５表裏に有害光反射防止シート２０５−ａ、２０５−ｂが貼り付けられており、合焦時、撮影時の有害光が反射することを低減させている。遮光板２０５の撮像素子側先端の幅は、半透過ミラー保持枠２０４に設けられた開口部を覆えるだけの幅があればよく、回転中心近辺の幅よりも狭くしており、先端部の荷重を少なくしている。なお、材質はミラーユニット１１２の駆動に影響を与えない程度のものであれば、何であってもよい。反射防止シートも、反射防止塗装や反射防止形状（例えば山谷の連続形状）であってもよい。
【００３２】
半透過ミラー保持枠２０４の被写体側先端近辺には遮光板２０５の回転中心となる遮光板回転軸２０４−ｃが設けられており、遮光板２０５が回動可能に取り付けられる。また、遮光板２０５は遮光板回転軸２０４−ｃを中心に半透過ミラー保持枠２０４に対して回動可能な状態で、半透過ミラー保持枠２０４とともに半透過ミラー保持枠２０４の回転軸２０４−ａを中心に回動可能に構成されている。
【００３３】
遮光板２０５は付勢バネ２０６により半透過ミラー保持枠２０４から離れる（開く）方向に付勢されている。付勢バネ２０６は巻線部を遮光板回転軸２０４−ｃに配置し、一端は半透過ミラー保持枠２０４と当接し、他端が遮光板２０５に当接している。付勢バネ２０６は片側の遮光板回転軸２０４−ｃ近辺にあればよいが、両側にあってもよい。ミラーユニット１１２がミラーダウン位置に配置されている時には、付勢バネ２０６の付勢力により半透過ミラー保持枠２０４から離れた（開いた）状態で遮光板２０５が保持される（図５の状態）。
【００３４】
ミラーユニット１１２がミラーダウン位置に配置されている時には、半透過ミラー保持枠２０４に設けられた開口部２０４−ｆから、半透過ミラー２０３を透過した被写体光が撮像素子３０２に入射可能な状態となっている。このとき、遮光板２０５に有害光が反射すると画像品質が低下し、合焦精度に影響するが、有害光反射防止シート２０５−ｂにより、有害反射光を低減することが可能である。更に、ミラーユニット１１２がミラーダウン位置に配置されている時に、半透過ミラー保持枠２０４の被写体側先端とミラーボックス２００の下面との間から被写体光が入射すると撮像素子３０２で得られる画像品質が低下し、合焦精度に影響するが、遮光板２０５が有害光を遮光するため撮像素子３０２で得られる画像品質が低下することを防止できる。
【００３５】
撮像素子３０２から得られた画像データを利用して公知の技術である所謂コントラストＡＦや、撮像面位相差ＡＦなどで合焦動作を行うことが可能である。また、測光は撮像素子、或いは設けられているなら専用測光素子を用いて行うことが可能である。
【００３６】
本実施例では、半透過ミラー２０３を透過した被写体光を撮像素子３０２で電気信号に変換し、合焦動作を行う。そのため、従来ミラーボックス２００の下面に設けられていた位相差ＡＦユニットが不要となる。ミラーダウン位置で半透過ミラー保持枠２０４の開口部２０４−ｆを透過した被写体光により画像データを得るため、開口部サイズにより合焦可能な範囲が決まる。本発明では特に合焦可能な範囲による限定は受けないが、撮影サイズの５０％以上の開口部サイズが設けられていることが合焦可能領域が広く、使い勝手が良いため望ましい。半透過ミラー２０３の大きさが小さくなると、半透過ミラー保持枠２０４の開口部２０４−ｆの大きさも小さくなるため、半透過ミラー２０３の大きさは極力大きい方が撮影者にとって使い勝手が良い。
【００３７】
図６はミラーユニット１１２の斜視図である。半透過ミラー保持枠２０４の側面にはミラーボックス２００内面に設けられたミラー位置決め部３０３と当接するミラー位置決め当接面２０４−ｄが設けられており、ミラーダウン位置での半透過ミラー２０３の角度を所定の角度に維持するように構成されている。半透過ミラー保持枠２０４の被写体側先端には遮光板２０５と当接し、付勢バネ２０６の付勢力により遮光板２０５が離れた（開いた）状態での位置が保持されるための保持枠当接面２０４−ｅが設けられている。
【００３８】
遮光板２０５には対応する部分として、遮光板当接面２０５−ｃが設けられている。遮光板当接面２０５−ｃは遮光板２０５の他の領域とは異なる平面として設けられている。これは、半透過ミラー保持０４の先端部の肉厚を確保して強度を確保するためである。遮光板当接面２０５−ｃ以外は、ミラーアップ位置で極力半透過ミラー保持２０４に近い位置に配置可能な位置に設定している。なお、本実施例では遮光板当接面２０５−ｃが他の領域とは異なる平面としているが、本発明はこれに限定されるものでは無く同じ位置であっても、ミラーアップ位置で半透過ミラー保持枠２０４の開口部２０４−ｆを覆えればよい。
【００３９】
遮光板２０５の回転中心近辺にはアップ位置駆動ピン３００、ダウンバウンド防止ピン３０１とに当接するピン当接部２０５−ｄが撮影光軸に対して略対称な位置に設けられている。ピン当接部２０５−ｄは遮光板２０５の両側面に設けられた強度を上げるたに設けられている壁部２０５−ｅに設けられている。また、ピン当接部２０５−ｄは半透過ミラー保持枠２０４に設けられた遮光板回転軸２０４−ｃよりも撮影光軸から遠い方向へ伸長する面として設けられている。なお、ピン当接部２０５−ｄが壁部２０５−ｅに設けられるとしているが、本発明において必須では無く、遮光板当接面２０５−ｃから設けられていても良い。ピン当接部２０５−ｄのファインダー側の面がアップ位置駆動ピン３００と当接し、ファインダー逆側の面がダウンバウンド防止ピン３０１と当接する。付勢バネ２０６はピン当接部２０５−ｄのファインダー側の面に当接するように配置されている。
【００４０】
図７はミラーユニット１１２の動作を示した側面図である。図７−ａはミラーダウン位置であり、図５を逆側から見た側面図である。図７−ｂは遮光板２０５のピン当接部２０５−ｄがアップ位置駆動ピン３００と当接し始め、あるいは離れ始めを示している側面図である。図７−ｃは露光時の退避状態であるミラーアップ位置を示している。図７を用いてミラーユニット１１２の動作を説明する。
【００４１】
ミラーダウン位置では半透過ミラー保持枠２０４はミラー位置決め部３０３と位置決め受け面２０４−ｄとが当接した状態で所定の角度を維持したまま保持されている。ミラー位置決め部３０３は遮光板２０５の壁部２０５−ｅとの干渉を避ける形状となっているが、撮影光軸との距離を異ならせることで干渉しない配置としても良い。その場合は、遮光板２０５の壁部２０５−ｅが撮影光軸に近い位置に配置される。バウンド防止ピン３０１と遮光板２０５のピン当接部２０５−ｄとは所定の距離離れた位置に配置されており、ミラーダウン位置では当接せずに配置されている。これにより、半透過ミラー２０３で反射された被写体光を撮影者はファインダー光学系を通して正しく認識することが可能となる。
【００４２】
半透過ミラー２０３を透過した被写体光は撮像素子３０２へ入射し、被写体光が電気信号に変換され公知の技術により合焦動作が行われる。撮影者がレリーズボタン１０４を操作すると、前述したカメラ動作により合焦制御、撮影条件設定が行われる。撮影可能となった後に、不図示のミラーユニット駆動レバーにより半透過ミラー保持枠２０４は回動駆動され、ミラーアップ位置へ移動を開始する。
【００４３】
遮光板２０５は半透過ミラー保持枠２０４と共に移動し、ミラーアップ位置手前でアップ位置駆動ピン３００と遮光板２０５のピン当接部２０５−ｄとが当接し始める（図７−ｂの状態）。アップ位置駆動ピン３００と遮光板２０５のピン当接部２０５−ｄとが当接する場所は、遮光板２０５の回転中心よりも被写体側であり、遮光板２０５はアップ位置駆動ピン３００から半透過ミラー保持枠２０４に近づく（閉じる）方向の回転駆動力を受け、遮光板２０５が半透過ミラー保持枠２０４に対して近づく（閉じる）方向に駆動される。なお、実施例の図では、付勢バネ２０６の遮光板２０５側の端部が遮光板２０５に干渉した状態となっているが、実際には端部がピン当接部２０５−ｄと接する位置に当接した位置に配置されている。
【００４４】
遮光板閉じピン３０４は通常撮影時には遮光板２０５と当接しない退避位置に配置されており、遮光板２０５がアップ位置駆動ピン３００により、半透過ミラー保持枠２０４に対して近づく（閉じる）状態へ駆動する軌跡から離れた位置に配置されている。
【００４５】
ミラーユニット駆動レバーにより半透過ミラー保持枠２０４がミラーアップ位置へ駆動されると半透過ミラー保持枠２０４の被写体側先端が衝撃干渉部材２０８と衝突し、所定の圧縮位置で保持される（図７−ｃの状態）。このとき遮光板２０５はアップ位置駆動ピン３００により半透過ミラー保持枠２０４に対して最も近づく（閉じる）状態に保持されている。
【００４６】
ミラーユニット１１２がミラーアップ位置へ駆動された後、撮像素子３０２による撮影データ取得（露光）が行われる。このとき、遮光板２０５は半透過ミラー保持枠２０４の開口部２０４−ｆを覆う状態で保持されており、ファインダーからの有害光が撮像素子３０２に到達することを防止している。また、撮影光軸側には反射防止シート２０５−ａが貼り付けられており、撮影光学系を透過した有害光による反射を低減させている。このことにより、露光中の被写体光に有害光が入り込むことを低減することが可能となる。
【００４７】
露光動作後、半透過ミラー保持枠２０４をミラーダウン位置へ移動させる際には、半透過ミラー保持枠２０４が撮影光軸に近づくにつれて、遮光板２０５は半透過ミラー保持枠２０４と共に撮影光軸に近づくためアップ位置駆動ピン３００から離れ始め、付勢バネ２０６の付勢力により半透過ミラー保持枠２０４から離れていく（開いていく）（図７−ｂの状態）。
【００４８】
ミラーユニット１１２がミラーダウン位置へ移動した際（図７−ａの状態）には、遮光板２０５がバウンドして撮影光軸に近づくことが発生し得る。バウンドした場合には、遮光板２０５が半透過ミラー保持枠２０４の回転中心軸２０４−ｃを中心に回転し、半透過ミラー保持枠２０４の保持枠当接部２０４−ｅと遮光板２０５の遮光板当接部２０５−ｃとが離れる。しかし、遮光板２０５のピン当接部２０５−ｄと所定の隙間を開けて設けられているバウンド防止ピン３０１とピン当接部２０５−ｄとが当接し、バウンドを防止することが可能となる。なお、本実施例ではバウンド防止ピン３０１を用いた形態を述べたが、本発明はこれに限定されるものでは無くバウンドが少ない場合にはバウンド防止ピン３０１を設けることは必須ではない。
【００４９】
次に撮影者によって、主電源スイッチ１０７が操作され、電源がＯＦＦに操作されたときの動作について図８を用いて詳説する。
【００５０】
操作検出回路１２により主電源スイッチ１０７が電源ＯＦＦ位置に操作されたことを検出すると、カメラマイコン１０が所定のシーケンスによりカメラを電源がＯＦＦできる状態に制御する。この際に、行われるミラーユニット１１２の動作について詳説する。ミラーユニット１１２の動作以外は公知のシーケンスによりカメラ電源ＯＦＦへ遷移すればよい。
【００５１】
図８は主電源スイッチ１０７によりカメラの電源がＯＦＦに操作された時の動作を示したミラーユニット１１２の側面図である。図８−ａはダウンバンド防止ピン３０１と遮光板閉じピン３０４が電源ＯＦＦ時の配置に移動したことを示す側面図である。図８−ｂは遮光板２０５のピン当接部２０５−ｄがアップ位置駆動ピン３００と離れ始めを示している側面図である。図８−ｃはミラーユニット１１２が電源ＯＦＦ時のミラーダウン位置に配置した状態を示す側面図である。
【００５２】
撮影者によって、主電源スイッチ１０７が操作され、操作検出回路１２により主電源スイッチ１０７が電源ＯＦＦ位置に操作されたことを検出すると、カメラマイコン１０がモーター制御回路１４により、ミラー駆動ユニット２０１のモーターを駆動し、ミラーユニット１１２をミラーアップ位置に駆動する。ミラーユニット１１２がミラーアップ位置に駆動された後、モーター制御回路１４により、不図示の駆動源を駆動し、ダウンバウンド防止ピン３０１と遮光板閉じピン３０４とを連結するピン連結部材３０５を回転駆動させる。ダウンバウンド防止ピン３０１と遮光板閉じピンとが回転駆動により配置される位置は、ダウンバンド防止ピン３０１は遮光板２０５と当接しない位置であり、遮光板閉じピン３０４は遮光板２０５の撮像素子側先端部と当接する位置である。
【００５３】
ダウンバウンド防止ピン３０１と遮光板閉じピン３０４とが駆動された後、ミラーユニット１１２はミラーダウン位置に向けて駆動される。ミラーユニット１１２をミラーダウン位置へ移動させる際には、半透過ミラー保持枠２０４が撮影光軸に近づくにつれて、遮光板２０５は半透過ミラー保持枠２０４と共に撮影光軸に近づくため、アップ位置駆動ピン３００から離れ始め、付勢バネ２０６の付勢力により半透過ミラー保持枠２０４から離れていく（開いていく）。遮光板２０５が半透過ミラー保持枠２０４から離れていく途中で、遮光板の撮像素子側先端が遮光板閉じピン３０４と当接する（図８−ｂの状態）。なお、図８−ｂでは付勢バネ２０６の遮光板２０５側の端部が遮光板２０５に干渉した絵となっているが、実際にはピン当接部２０５−ｄと接する位置に端部が当接した位置に配置されている。
【００５４】
更に、ミラーユニット１１２がミラーダウン位置に駆動されていくと、遮光板２０５は遮光板閉じピン３０４が先端に当接したままのため、半透過ミラー保持枠２０４に近づきながら（閉じながら）移動する。ミラーユニット１１２がミラーダウン位置に駆動されると、遮光板２０５は遮光板閉じピン３０４に当接したまま、ほぼ半透過ミラー保持枠２０４に対して近づいた（閉じた）状態に保持される（図８−ｃの状態）。この時、ダウンバウンド防止ピン３０１は遮光板２０５と当接しない位置に退避しており、遮光板２０５と当接することは無い。
【００５５】
遮光板２０５がほぼ半透過ミラー保持枠２０４に対して近づいた（閉じた）状態に保持されることにより、半透過ミラー保持枠２０４の開口部２０４−ｆを遮光板２０５が覆う配置となり、太陽光が不図示のＳＨ羽根や撮像素子３０２に入射することを防止することが可能となる。
【００５６】
次に、撮影者によって、主電源スイッチ１０７が操作され、電源がＯＮに操作されたときの動作について述べる。
【００５７】
電源ＯＦＦ状態では、ミラーユニット１１２がミラーダウン位置に保持されており、遮光板２０５は遮光板閉じピン３０４に当接したまま、半透過ミラー保持枠２０４に対して近づいた（閉じた）状態に保持されている（図８−ｃの状態）。
【００５８】
撮影者により主電源スイッチ１０７が操作され、操作検出回路１２により主電源スイッチ１０７が電源ＯＮ位置に操作されたことを検出すると、カメラマイコン１０がモーター制御回路１４により、ミラー駆動ユニット２０１のモーターを駆動し、ミラーユニット１１２をミラーアップ位置に駆動する。ミラーユニット１１２がミラーアップ位置に駆動された後、モーター制御回路１４により、不図示の駆動源を駆動し、ダウンバウンド防止ピン３０１と遮光板閉じピン３０４とを連結するピン連結部材３０５を回転駆動させる（図７−ｃの状態）。ダウンバウンド防止ピン３０１と遮光板閉じピンとが回転駆動により配置される位置は、ダウンバンド防止ピン３０１はミラーダウン位置で遮光板２０５と当接する位置であり、遮光板閉じピン３０４は遮光板２０５と当接しない位置である。
【００５９】
ダウンバウンド防止ピン３０１と遮光板閉じピン３０４とが駆動された後、ミラーユニット１１２はミラーダウン位置に向けて駆動される。ミラーユニット１１２をミラーダウン位置へ移動させる際には、半透過ミラー保持枠２０４が撮影光軸に近づくにつれて、遮光板２０５は半透過ミラー保持枠２０４と共に撮影光軸に近づくため、アップ位置駆動ピン３００から離れ始め、付勢バネ２０６の付勢力により半透過ミラー保持枠２０４から離れていく（開いていく）（図７−ｂの状態）。
【００６０】
その後、ミラーユニット１１２はミラーダウン位置に配置される（図７−ａの状態）。
【００６１】
図９は電源ＯＮと電源ＯＦＦ時のフローチャートである。図９−ａは電源ＯＦＦ時のフローチャートである。図９−ｂは電源ＯＮ時のフローチャートである。ミラーユニット１１２以外の動作は公知のシーケンスで良いので省略する。
【００６２】
図９−ａを用いて、電源ＯＦＦ時の動作を述べる。ＳＴＡＲＴは撮影待機状態である。ＳＴＥＰ−Ａ１で、撮影者により主電源スイッチ１０７が操作されたかを判断する。主電源スイッチ１０７が操作されていないと判断されると撮影待機状態を維持する。主電源スイッチ１０７が操作されたと判断されると、ＳＴＥＰ−Ａ２でミラーユニット１１２がミラーアップ位置に駆動される。この時のミラーユニット１１２の駆動速度は、通常撮影時のミラーユニット１１２の駆動速度よりも遅い速度で駆動される。遅い速度でミラーユニット１１２を駆動すると、駆動時に発生する音を低減することが可能となり、違和感のない動作を行うことが可能となる。しかし、電源ＯＦＦまでの時間を短くすることを優先して、通常撮影時のミラーユニット１１２の駆動速度で駆動してもよい。
【００６３】
ミラーユニット１１２がミラーアップ位置に駆動された後、ＳＴＥＰ−Ａ３で遮光板閉じピン３０４がピン連動部材駆動モーター３０７により退避位置から遮光板閉じ位置（当接位置）に駆動される。遮光板閉じピン３０４が遮光板閉じ位置に駆動された後、ＳＴＥＰ−Ａ４でミラーユニット１１２がミラーダウン位置に駆動される。ミラーユニット１１２がミラーダウン位置に配置された時には、遮光板２０５は半透過ミラー保持枠２０４に対して近づいた（閉じた）状態である。ミラーユニット１１２がミラーダウン位置に駆動された後、所定のシーケンスにてカメラの電源がＯＦＦとなる（ＳＴＯＰ）。
【００６４】
図９−ｂを用いて、電源ＯＮ時の動作を述べる。ＳＴＡＲＴは電源ＯＦＦ状態である。ＳＴＥＰ−Ｂ１で、撮影者により主電源スイッチ１０７が操作されたかを判断する。主電源スイッチ１０７が操作されていないと判断されると電源ＯＦＦ状態を維持する。主電源スイッチ１０７が操作されたと判断されると、ＳＴＥＰ−Ｂ２でミラーユニット１１２がミラーアップ位置に駆動される。この時のミラーユニット１１２の駆動速度は通常撮影時のミラーユニット１１２の駆動速度と同等である。通常撮影時と同等の速度でミラーユニット１１２を駆動することで、起動時間が遅れることを最小限に抑えることが可能となり、違和感のない動作を行うことが可能となる。しかし、発生する音を低減させること優先して、通常撮影時のミラーユニット１１２の駆動速度よりも遅い速度で駆動してもよい。
【００６５】
ミラーユニット１１２がミラーアップ位置に駆動された後、ＳＴＥＰ−Ｂ３で遮光板閉じピン３０４がピン連動部材駆動モーター３０７により遮光板閉じ位置（当接位置）から退避位置に駆動される。遮光板閉じピン３０４が退避位置に駆動された後、ＳＴＥＰ−Ｂ４でミラーユニット１１２がミラーダウン位置に駆動される。ミラーユニット１１２がミラーダウン位置に配置された時には、遮光板２０５は半透過ミラー保持枠２０４に対して離れた（開いた）状態である。ミラーユニット１１２がミラーダウン位置に駆動された後、所定のシーケンスにてカメラの電源がＯＮとなる。
【００６６】
図１０は本実施例のミラーユニット１１２とダウンバウンド防止ピン３０１と遮光板閉じピン３０４とピン連動部材３０５とピン連動部材駆動モーター３０７とを被写体側から見た正面図である。なお、本実施例ではピン連動部材駆動モーター３０７をミラーボックス２００の側面に配置したものを例示しているが、本発明はこれに限定されるものでは無く、従来位相差ＡＦユニットが配置されていたミラーボックス２００の下面にピン連動部材駆動モーター３０７を配置しても良い。その場合には、ピン連動部材駆動モーター３０７の回転駆動をピン連動部材３０５に伝達する、歯車やベルトなどを設ければよい。またピン連動部材３０５の駆動源としてはモーター以外でも良く、プランジャーなど２か所の配置を切替られる機構であれば適用可能である。
【００６７】
以上、本発明の好ましい実施形態について説明したが、本発明はこれらの実施形態に限定されず、その要旨の範囲内で種々の変形及び変更が可能である。
【符号の説明】
【００６８】
１００  カメラ本体、１０１  上面外装カバー、１０２  前面外装カバー、
１０３  閃光ユニット、１０４  レリーズボタン、１０５  電子ダイヤル、
１０６  ＩＳＯ感度設定ボタン、１０７  主電源スイッチ、
１０８  撮影モードダイヤル、１０９  アクセサリーシュー、１１０  表示装置、
１１１  背面外装カバー、１１２  ミラーユニット、１１３  ファインダーユニット、
２００  ミラーボックス、２０１  ミラー駆動ユニット、
２０２  撮影光学系通信ユニット、２０３  半透過ミラー、
２０４  半透過ミラー保持枠、２０４−ａ  半透過ミラー保持枠回転軸、
２０４−ｂ  半透過ミラー保持枠駆動軸、２０４−ｃ  遮光板回転軸、
２０４−ｄ  ミラー位置決め部材当接面、２０４−ｅ  保持枠当接面、
２０４−ｆ  半透過ミラー保持枠開口部、２０５  遮光板、
２０５−ａ  反射防止シート、２０５−ｂ  反射防止シート、
２０５−ｃ  遮光板当接面、２０５−ｄ  ピン当接面、２０５−ｅ  遮光板壁部、
２０６  付勢バネ、２０７  反射防止シート、３００  アップ位置駆動ピン、
３０１  バウンド防止ピン、３０２  撮像素子、３０３  ミラー位置決め部、
３０４  遮光板閉じピン、３０５  ピン連動部材、３０６  シート逃げ穴、
３０７  ピン連動部材駆動モーター
【図１−ａ】
2016133682.tif 000003
【図１−ｂ】
2016133682.tif 000004
【図２】
2016133682.tif 000005
【図３】
2016133682.tif 000006
【図４】
2016133682.tif 000007
【図５】
2016133682.tif 000008
【図６−ａ】
2016133682.tif 000009
【図６−ｂ】
2016133682.tif 000010
【図７−ａ】
2016133682.tif 000011
【図７−ｂ】
2016133682.tif 000012
【図７−ｃ】
2016133682.tif 000013
【図８−ａ】
2016133682.tif 000014
【図８−ｂ】
2016133682.tif 000015
【図８−ｃ】
2016133682.tif 000016
【図９−ａ】
2016133682.tif 000017
【図９−ｂ】
2016133682.tif 000018
【図１０】
2016133682.tif 000019